(57)【特許請求の範囲】
【請求項１】
操作ノブを回転可能にシートバックの背部面に取り付け、該操作ノブの出し入れ可能な抜き穴を板面に設けたテーブルボードをシートバックの背部に備え、
前記操作ノブの出し入れ可能な長穴を板面に設けたインナーカバーと、前記操作ノブの出し入れ可能な長穴を板面に設けたアウターカバーとからテーブルボードの穴縁を挟み込んで組み立てられる枠縁をテーブルボードの板面に取り付け、前記操作ノブを該枠縁の枠内に回転可能に収容し、
前記操作ノブを前記各カバーの長穴と直交向きに回転させて前記テーブルボードを前記枠縁で掛止め保持し、一方、前記操作ノブを各カバーの長穴と整合向きに回転させてテーブルボードをシートバックの背部から後方に倒し出し可能に備え付けたことを特徴とするテーブルボード付き車輌用シート。
【請求項２】
前記操作ノブを回転可能に前記シートバックに支持するボス部と、該ボス部と摺接する受け座とをシートバックの背部面に備え、第１の突起を前記ボス部または前記受け座のいずれか一方の摺接面に設け、前記操作ノブの回転に伴う摺接により前記第１の突起が出入り可能な第１の凹溝を前記ボス部または前記受け座のいずれか他方の摺接面に設けてなることを特徴とする請求項１に記載のテーブルボード付き車輌用シート。
【請求項３】
前記第１の突起を前記各カバーの長穴と直交向き並びに整合向きの回転位置で前記第１の凹溝に入込み可能に設けてなることを特徴とする請求項２に記載のテーブルボード付き車輌用シート。
【請求項４】
前記操作ノブの摘み部と前記枠縁のアウターカバーとを摺接可能に設け、第２の突起を操作ノブの摘み部または前記枠縁のアウターカバーのいずれか一方の摺接面に設け、前記第１の突起が第１の凹溝に入り込むのと同期し、前記第２の突起が入り込む第２の凹溝を前記操作ノブの摘み部または前記枠縁のアウターカバーのいずれか他方の摺接面に設けてなることを特徴とする請求項２または３に記載のテーブルボード付き車輌用シート。
【発明の詳細な説明】
【技術分野】
【０００１】
本発明は、シートバックの背部より後方に倒し出せるテーブルボード付き車輌用シートに関するものである。
【背景技術】
【０００２】
自動車用シートにおいては、下端側をシートバックの下部側にヒンジ連結したテーブルボードをシートバックの背部に備え、掛止め用の操作ノブを支軸で回転可能にテーブルボードの上端側近傍でシートバックの背部面に取り付け、操作ノブをテーブルボードの上端側に掛け渡すよう回転すると、テーブルボードをシートバックの背部に立て付けられ、操作ノブをテーブルボードの上端側に掛け外すよう回転すると、テーブルボードをシートバックの背部から後方に倒し出せるテーブルボード付きのものが知られている（特許文献１）。
【０００３】
そのテーブルボードの操作ノブは、使用者が目視しながら手で単に回転させてテーブルボードとの掛止め向き乃至は掛外し向きに位置合わせするものとして備え付けられているに過ぎない。
【特許文献１】実開平４−５４７３２号
【発明の開示】
【発明が解決しようとする課題】
【０００４】
解決しようとする課題は、テーブル設備として全体的に高級感を持たせるところにある。それに加えて、テーブルボードに対する操作ノブの掛止め向き乃至は掛外し向きを手感触で認知可能に構成するところにある。
【課題を解決するための手段】
【０００５】
本願の請求項１は、操作ノブを回転可能にシートバックの背部面に取り付け、操作ノブの出し入れ可能な抜き穴を板面に設けたテーブルボードをシートバックの背部に備え、
操作ノブの出し入れ可能な長穴を板面に設けたインナーカバーと、操作ノブの出し入れ可能な長穴を板面に設けたアウターカバーとからテーブルボードの穴縁を挟み込んで組み立てられる枠縁をテーブルボードの板面に取り付け、操作ノブを枠縁の枠内に回転可能に収容し、
操作ノブを前記各カバーの長穴と直交向きに回転させて前記テーブルボードを枠縁で掛止め保持し、一方、操作ノブを各カバーの長穴と整合向きに回転させてテーブルボードをシートバックの背部から後方に倒し出し可能に備え付けたことを特徴とする。
【０００６】
本願の請求項２は、操作ノブを回転可能にシートバックに支持するボス部と、ボス部と摺接する受け座とをシートバックの背部面に備え、第１の突起をボス部または受け座のいずれか一方の摺接面に設け、操作ノブの回転に伴う摺接により第１の突起が出入り可能な第１の凹溝を前記ボス部または受け座のいずれか他方の摺接面に設けてなることを特徴とする。
【０００７】
本願の請求項３は、第１の突起を各カバーの長穴と直交向き並びに整合向きの回転位置で第１の凹溝に入込み可能に設けてなることを特徴とする。
【０００８】
本願の請求項４は、操作ノブの摘み部と枠縁のアウターカバーとを摺接可能に設け、第２の突起を操作ノブの摘み部または枠縁のアウターカバーのいずれか一方の摺接面に設け、第１の突起が第１の凹溝に入り込むのと同期し、第２の突起が入り込む第２の凹溝を操作ノブの摘み部または枠縁のアウターカバーのいずれか他方の摺接面に設けてなることを特徴とする。
【発明の効果】
【０００９】
本願の請求項１に係るテーブルボード付き車輌用シートでは、操作ノブの出し入れ可能な長穴を板面に設けたインナーカバーと、操作ノブの出し入れ可能な長穴を板面に設けたアウターカバーとからテーブルボードの穴縁を挟み込んで組み立てられる枠縁をテーブルボードの板面に取り付け、操作ノブの出入れ可能なテーブルボードの穴回りを枠縁で被包することから、テーブル設備として高級感を持たせられる。
【００１０】
本願の請求項２に係るテーブルボード付き車輌用シートでは、操作ノブの回転に伴う突起の摺接により、突起が凹溝に出入りすることによるクリック感を付与できるため、テーブルボードに対する操作ノブの掛止め向き乃至は掛外し向きを目視のみならず、手感触でも認知できる。
【００１１】
本願の請求項３に係るテーブルボード付き車輌用シートでは、操作ノブを長穴と直交向き並びに整合向きに回転する位置で突起の入込み可能な凹溝を設けることにより、テーブルボードに対する操作ノブの掛止め向き，掛外し向きを共に目視のみならず、手感触でも認知できる。
【００１２】
本願の請求項４に係るテーブルボード付き車輌用シートでは、第１の突起が第１の凹溝に入り込むのと同期し、第２の突起が第２の凹溝に入り込むことから、各突起が各凹溝に出入りすることによるクリック感をより強く付与できる。
【発明を実施するための最良の形態】
【００１３】
図１は自動車用シートに係り、テーブルボード１をシートバック２の背部に収めたセカンドシートを示す斜視図である。そのシートバック２には、回転操作可能な左右二つの操作ノブ１０が背部面に備え付けられている。各操作ノブ１０の取付け位置に対応し、テーブルボード１の上端寄り板面には後述するような操作ノブ１０の出入れ可能な長穴を枠縁２０で設けるよう抜き穴（符号なし）が形成されている。
【００１４】
図２は、テーブルボード１を操作ノブ１０より掛け外してから後方に倒し出したセカンドシートを示す斜視図である。このテーブルボード１は、シートクッション３の後部側から引き出すシート表皮４（図１参照）を下端寄り外側と縫着すると共に、シートバック２の背面カバー２ａと下端寄り内側との間に亘るニードルパンチ布等を袋状のフィルムヒンジ５として縫着することによりサードシート（図示せず）との間に掛渡し倒せるよう備え付けられている。
【００１５】
操作ノブ１０は、図３で示すように略円筒状のボス部１１を中央に立ち上げて略長方形の摘み部１２と一体に形成したノブ本体を備えて構成されている。この操作ノブ１０には、後述するように鍔付ボルトでシートバック２の背部面に取り付けることから、段付状の軸受け穴１３が摘み部１２からボス部１１に亘る中央に貫通するよう設けられている。また、軸受け穴１３の封止用キヤップ１４が掛止め爪１４ａ，１４ｂで切欠溝１３ａ，１３ｂと係合させて嵌込み固定するよう備え付けられている。
【００１６】
その操作ノブ１０においては、図４で示すように長方形の突起１５ａ〜１５ｄが４５°角度を隔ててボス部１１の内端面に４つ設けられている。また、半円形の突起１６ａ，１６ｂがボス部１１を介した摘み部１２の両端寄り裏面に２つ設けられている。
【００１７】
ボス部１１の突起１５ａ〜１５ｄに対しては、図５で示すような円板状の受け座１７が突起１５ａ〜１５ｄと摺接するよう備え付けられている。この受け座１７には、突起１５ａ〜１５ｄと相応する４つの凹溝１７ａ〜１７ｄが板面中央の抜き穴１７ｅより放射状に向うよう設けられている。また、シートバック２の背部面に嵌着する２つの支ピン１７ｆ，１７ｇが受け座１７の固定用として抜き穴１７ｅを隔てた両側に立上げ形成されている。
【００１８】
操作ノブ１０は、テーブルボード１の板面に取り付ける枠縁２０で収容されている。その枠縁２０は、円板状のインナーカバー２１（図２参照）と、受け皿状のアウターカバー２２（図１参照）とから組み立てられている。この枠縁２０には、各カバー２１，２２の板面に開孔した穴部を組み合わせることから、操作ノブ１０と相似形で出入れ可能な長穴２３が設けられている。また、図６で示すように上述した摘み部１２の突起１６ａ，１６ｂの入り込む凹溝２４ａ，２４ｂが長穴２３を隔てたアウターカバー２２の板面両側に設けられている。
【００１９】
図７〜図９は、操作ノブ１０並びに枠縁２０の取付構造を操作ノブ１０のロック状態で示す。操作ノブ１０は、図７で示すように摘み部１２が枠縁２０の縦向きに開口する長穴２３に対して横向きでアウターカバー２２の板面に掛け止められるよう取り付けられている。
【００２０】
操作ノブ１０は、図８で示すように鍔付ボルト６ａをノブ本体の軸受け穴１３より受け座１７の抜き穴１７ｅ並びにバックフレーム２ｂの板面に設けた止め穴２ｃに挿通させてナット６ｂで締付け固定することから回転可能にシートバック２の背部面に備え付けられている。ノブ本体の軸受け穴１３は、封止キャップ１４を嵌め込むことにより閉鎖されている。この構成中、ボルト６ａの鍔部と軸受け穴１３の段部との間には捩りリングバネ７を挿置するようにできる。
【００２１】
受け座１７は、シートバック２の背面カバー２ａを挟み込むと共に、支ピン１７ｆ，１７ｇをバックフレーム２ｂの板面に圧入嵌着することにより、凹溝１７ａ〜１７ｄを設けた板面を外部に露出させてシートバック２の背部面に取付け固定されている。
【００２２】
枠縁２０は、インナーカバー２１をテーブルボード１の内面側にあてがうと共に、アウターカバー２２をテーブルボード１の外面側にあてがい、両者２１，２２を一体に接合固定することによりテーブルボード１の穴縁を挟み込んで（図８参照）板面に取り付けられている。このインナーカバー２１とアウターカバー２２とから、操作ノブ１０の出入れ可能な長穴２３が設けられ、また、操作ノブ１０がアウターカバー２２の立上り内で回転操作可能に取り付けられている。
【００２３】
このように構成するテーブルボード付き車輌用シートでは、図７で示す如く操作ノブ１０が枠縁２０に掛け止められていると、図９で示すようにボス部１１の突起１５ａ，１５ｃがいずれも受け座１７の凹溝１７ａ，１７ｃに入り込んでいる。また、図１０で示すように摘み部１２の突起１６ａ，１６ｂもアウターカバー２２の凹溝２４ａ，２４ｂに入り込んでいることから、操作ノブ１０が枠縁２０に安定よく掛け止められている。
【００２４】
その掛止め状態から操作ノブ１０を回転操作すると、ボス部１１の突起１５ａ〜１５ｄが受け座１７の凹溝１７ａ〜１７ｄから外れ出し、摘み部１２の突起１６ａ，１６ｂもアウターカバー２２の凹溝２４ａ，２４ｂから外れ出すことにより、手感触でも、操作ノブ１０の突起１５ａ〜１５ｄ、１６ａ，１６ｂが各凹溝１７ａ〜１７ｄ、２４ａ，２４ｂより外れたことを認知できる。
【００２５】
その操作ノブ１０の回転途上では、ボス部１１の突起１５ａ，１５ｃが受け座１７の一般面と摺接しながら回転する。この操作ノブ１０が枠縁２０より掛け外せる状態に達すると、図１１で示すようにボス部１１の突起１５ａ，１５ｃが受け座１７の凹溝１７ａ〜１７ｄに再度入り込むことにより、手感触でも、操作ノブ１０の突起１５ａ〜１５ｄが各凹溝１７ａ〜１７ｄに入り込んだことを認知できると共に、操作ノブ１０が枠縁２０の長穴２３と整合位置したことを認知できる。
【００２６】
その操作ノブ１０では、回転操作に伴う突起１５ａ〜１５ｄの受け座１７との摺接により、突起１５ａ〜１５ｄ、１６ａ，１６ｂが各凹溝１７ａ〜１７ｄ、２４ａ，２４ｂに出入りすることによるクリック感を付与できる。このため、テーブルボード１に対する操作ノブ１０の掛止め向き乃至は掛外し向きを目視のみならず、手感触でも認知でき、テーブル設備として高級感を持たせられる。
【００２７】
それに加えて、操作ノブ１０の出入れ可能な長穴２３を設けるテーブルボード１の板面回りを枠縁２０で被包することから、テーブル設備として高級感を持たせられる。また、ボス部１１の突起と共に、摘み部１２の突起１６ａ，１６ｂを設けることから、各突起１５ａ〜１５ｄ、１６ａ，１６ｂが各凹溝１７ａ〜１７ｄ、２４ａ，２４ｂに出入りすることによるクリック感をより強く付与できる。
【図面の簡単な説明】
【００２８】
【図１】本発明に係るテーブルボード付シートをテーブルボードの収納状態で背部側から示す斜視図である。
【図２】図１のテーブルボード付シートをテーブルボードの倒出し状態で背部側から示す斜視図である。
【図３】図１のテーブルボード付シートに備え付けられる操作ノブを示す側断面図である。
【図４】図３の操作ノブを示す裏面図である。
【図５】図１のテーブルボード付シートに備え付けられる操作ノブの受け座を示す平面図である。
【図６】図１のテーブルボード付シートに備え付けられる操作ノブの枠縁を示す正面図である。
【図７】図１の操作ノブを枠縁に対する掛止め状態で示す正面図である。
【図８】図７の操作ノブ並びに枠縁をＡ−Ａ線で示す側断面図である。
【図９】図７の操作ノブ並びに枠縁をＢ−Ｂ線で示す側断面図である。
【図１０】図７の操作ノブ並びに枠縁をＣ−Ｃ線で示す側断面図である。
【図１１】図１の操作ノブを枠縁より掛外し可能位置で示す正面図である。
【符号の説明】
【００２９】
１            テーブルボード
２            シートバック
１０          操作ノブ
１１          操作ノブのボス部
１２          操作ノブの摘み部
１３          操作ノブの軸受け穴
１５ａ〜１５ｄ    ボス部の突起
１６ａ，１６ｂ    摘み部の突起
１７          操作ノブの受け座
１７ａ〜１７ｄ    受け座の凹溝
６ａ，６ｂ    操作ノブの支軸
２０          枠縁
２１          枠縁のインナーカバー
２２          枠縁のアウターカバー
２３          枠縁の長穴
【図１】
0003965500.tif 000002
【図２】
0003965500.tif 000003
【図３】
0003965500.tif 000004
【図４】
0003965500.tif 000005
【図５】
0003965500.tif 000006
【図６】
0003965500.tif 000007
【図７】
0003965500.tif 000008
【図８】
0003965500.tif 000009
【図９】
0003965500.tif 000010
【図１０】
0003965500.tif 000011
【図１１】
0003965500.tif 000012